(57)【特許請求の範囲】
【請求項１】
物体側から順に、正の屈折力の第１レンズ群、負の屈折力の第２レンズ群、正の屈折力の第３レンズ群、負の屈折力の第４レンズ群、及び正の屈折力の第５レンズ群から構成され、
広角端から望遠端への変倍時に、前記第１レンズ群と第２レンズ群の間隔が増加し、前記第２レンズ群と第３レンズ群の間隔が減少し、前記第３レンズ群と第４レンズ群の間隔が変化し、前記第４レンズ群と第５レンズ群の間隔が減少するように、少なくとも前記第１レンズ群、第３レンズ群、第４レンズ群、第５レンズ群を物体側に移動させるズームレンズであって、
前記第１レンズ群は、物体側から順に負レンズ１枚と、正レンズ３枚からなり、以下の条件式を満足することを特徴とするズームレンズ。
（１）  Nd1>1.84   vd1<35
（２）  Nd2<1.60   vd2＞60
（３）  Nd3<1.65   vd3＞60
（４）  Nd4-Nd3>0.02    Nd4>Nd3>Nd2
（１１）-17.8＜Ｚ5＜9.5
Ndi：物体側から数えてｉ番目の硝材の屈折率
Vdi：物体側から数えてｉ番目の硝材のアッベ数
Z5：（望遠端のおける第５レンズ群の倍率）／（広角端のおける第５レンズ群の倍率）
【請求項２】
以下の条件式を満足することを特徴とする請求項１記載のズームレンズ
（５）  0.24＜ｆ１／ｆｔ＜0.42
（６）  0.03＜｜ｆ２／ｆｔ｜＜0.06
（９）  0.39＜ｆ３４５ｔ/ｆ３＜1.39
ｆ１：第１レンズ群の焦点距離
ｆ２：第２レンズ群の焦点距離
ｆ３：第３レンズ群の焦点距離
ｆｔ：望遠端の焦点距離
ｆ３４５ｔ：望遠端における第３レンズ群から第５レンズ群までの合成焦点距離
【請求項３】
物体側から順に、正の屈折力の第１レンズ群、負の屈折力の第２レンズ群、正の屈折力の第３レンズ群、負の屈折力の第４レンズ群、及び正の屈折力の第５レンズ群から構成され、
広角端から望遠端への変倍時に、前記第１レンズ群と第２レンズ群の間隔が増加し、前記第２レンズ群と第３レンズ群の間隔が減少し、前記第３レンズ群と第４レンズ群の間隔が変化し、前記第４レンズ群と第５レンズ群の間隔が減少するように、少なくとも前記第１レンズ群、第３レンズ群、第４レンズ群、第５レンズ群を物体側に移動させるズームレンズであって、
前記第１レンズ群は、物体側から順に負レンズ１枚と、正レンズ３枚からなり、手振れ補正時、前記第４レンズ群の一部もしくは全体が移動し、以下の条件式を満足することを特徴とするズームレンズ。
（１）  Nd1>1.84   vd1<35
（２）  Nd2<1.60   vd2＞60
（３）  Nd3<1.65   vd3＞60
（４）  Nd4-Nd3>0.02    Nd4>Nd3>Nd2
（１１）-17.8＜Ｚ5＜9.5
Ndi：物体側から数えてｉ番目の硝材の屈折率
Vdi：物体側から数えてｉ番目の硝材のアッベ数
Z5：（望遠端のおける第５レンズ群の倍率）／（広角端のおける第５レンズ群の倍率）
【請求項４】
以下の条件式を満足することを特徴とする請求項３記載のズームレンズ
（５）  0.24＜ｆ１／ｆｔ＜0.42
（６）  0.03＜｜ｆ２／ｆｔ｜＜0.06
（１０）-2.0＜ｆ４／ｆ３４５ｔ＜2.3
ｆ１：第１レンズ群の焦点距離
ｆ２：第２レンズ群の焦点距離
ｆ４：第４レンズ群の焦点距離
ｆｔ：望遠端の焦点距離
ｆ３４５ｔ：望遠端における第３レンズ群から第５レンズ群までの合成焦点距離
【請求項５】
前記第３レンズ群は物体側から順に、凸レンズ３枚と凹レンズからなることを特徴とする請求項１から４のうちの一項に記載のズームレンズ。
【請求項６】
前記第１レンズ群を除くすべてのレンズ群中に非球面を持つことを特徴とする請求項１から５のうちの一項に記載のズームレンズ。
【請求項７】
開口絞りを、第２レンズ群と第３レンズ群との間に配置し、かつ第３レンズ群と一体で移動することを特徴とする請求項１から６のうちの一項に記載のズームレンズ。
【発明の詳細な説明】
【技術分野】
【０００１】
本発明は、ズームレンズ、さらに詳しくは、コンパクトで、少なくとも３群構成で、物体側から順に正の第1レンズ群、負の第２レンズ群、正の第３レンズ群を含み、変倍比１０倍程度の高倍率のズームレンズに関する。
【背景技術】
【０００２】
従来の上述した高倍率のズームレンズとしては、物体側から順に、正の屈折力を有する第１レンズ群Ｇ１と負の屈折力を有する第２レンズ群Ｇ２と正の屈折力を有する第３レンズ群Ｇ３と負の屈折力を有する第４レンズ群Ｇ４と正の屈折力を有する第５レンズ群Ｇ５を少なくとも有し、広角端に対し望遠端においては、該第１レンズ群Ｇ１と該第２レンズ群Ｇ２との間の空気間隔が拡大し、該第２レンズ群Ｇ２と該第３レンズ群Ｇ３との間の空気間隔が縮小し、該第３レンズ群Ｇ３と該第４レンズ群Ｇ４との間の空気間隔が拡大し、該第４レンズ群Ｇ４と該第５レンズ群Ｇ５との間の空気間隔が縮小することによって変倍し、望遠端における該第１レンズ群Ｇ１と該第２レンズ群Ｇ２の間隔をＤ1Tとし、広角端における該第１レンズ群Ｇ１と該第２レンズ群Ｇ２の間隔をＤ1Wとし、広角端の全系の焦点距離をｆｗ、前記第１レンズ群Ｇ１の焦点距離をｆ１、前記第２レンズ群Ｇ２の焦点距離をｆ２としたとき、
（１）２．３＜（Ｄ1T−Ｄ1W）／ｆｗ＜１０
（２）６．６＜ｆ１／｜ｆ２｜＜１５
を満足するズームレンズが提案されている（例えば、特許文献１参照）。
【０００３】
従来の他の高倍率のズームレンズとしては、物体側から順に、正の屈折力の第１レンズ群、負の屈折力の第２レンズ群、正の屈折力の第３レンズ群、負の屈折力の第４レンズ群及び正の屈折力の第５レンズ群で構成され、広角端から望遠端への変倍に際し、前記第１レンズ群と第２レンズ群の間隔が増加、前記第２レンズ群と第３レンズ群の間隔が減少、前記第３レンズ群と第４レンズ群の間隔が増加、前記第４レンズ群と第５レンズ群の間隔が減少するように少なくとも前記第１レンズ群、第３レンズ群、第５レンズ群を物体側に移動させるズームレンズであって、前記第１レンズ群、第３レンズ群の焦点距離を各々ｆ1，ｆ3、広角端、望遠端における全系の焦点距離を各々ｆW，ｆT、（望遠端の近軸横倍率）／（広角端の近軸横倍率）で定義される前記第２レンズ群、第３レンズ群の変倍分担値を各々Ｚ2，Ｚ3とするとき、０．３＜ｆ1／ｆT＜０．８、１．２＜Ｚ2／Ｚ3＜３．０、０．５＜ｆ3／ｆW＜０．８なる条件式を満足する高変倍ズームレンズが提案されている（例えば、特許文献２参照）。
【０００４】
従来のさらに高倍率のズームレンズとしては、物体側より順に、正屈折力の第１レンズ群、負屈折力の第２レンズ群、正屈折力の第３レンズ群、負屈折力の第４レンズ群、及び、正屈折力の第５レンズ群で構成され、広角端から望遠端への変倍時に、第１レンズ群と第２レンズ群の間隔、及び、第３レンズ群と第４レンズ群の間隔が大きくなり、第２レンズ群と第３レンズ群の間隔、及び、第４レンズ群と第５レンズ群の間隔が小さくなり、以下の条件式を満足することを特徴とするズームレンズ。
２．０＜ｆ1 ／ｆW ≦４．８４２４ ・・・（１）
０．４＜｜ｆ2 ／ｆW ｜＜１．０ ・・・（２）
０．３＜ｆ3 ／ｆT345≦０．８２１７ ・・・（３）
０．６＜｜ｆ4 ｜／ｆT345＜５．０ ・・・（４）
０．９１５４≦ｆ5 ／ｆT345＜４．０ ・・・（５）
ただし、
ｆW は、広角端における全系の焦点距離
ｆ1 は、第１レンズ群の焦点距離
ｆ2 は、第２レンズ群の焦点距離
ｆ3 は、第３レンズ群の焦点距離
ｆ4 は、第４レンズ群の焦点距離
ｆ5 は、第５レンズ群の焦点距離
ｆT345は、望遠端における第３レンズ群から第５レンズ群までの焦点距離
であるズームレンズが提案されている（例えば、特許文献３参照）。
【先行技術文献】
【特許文献】
【０００５】
【特許文献１】特許第４０５１７３１号公報
【特許文献２】特許第３２３６０３７号公報
【特許文献３】特許第３８０７７１２号公報
【発明の概要】
【発明が解決しようとする課題】
【０００６】
特許文献１等のズームレンズにおいては、本発明と同じレンズ群構成で、第１レンズ群と第２レンズ群との空気間隔を狭くし、さらに第１レンズ群と第２レンズ群の焦点距離を短くすることでコンパクト化した光学系を提案している。しかし、特許文献１のズームレンズにおいては、本発明が目的とするサイズに達しておらず、コンパクト化が不足している。さらに、特許文献１のレンズタイプでは、コンパクト化に伴う望遠端の球面収差及び軸上色収差の悪化の改善に限界がある。
【０００７】
特許文献２等のズームレンズにおいては、本発明の５レンズ群の実施形態４〜１２と同じパワー配分の光学系を提案しているが、実施例を見る限り結像性能の優れた光学系とはなっていない。特に望遠端の球面収差、軸上色収差の補正が不十分である。コンパクト化も不十分である。
【０００８】
特許文献３等のズームレンズにおいては、本発明の５レンズ群の実施形態４〜１２と同じパワー配分の光学系を提案している。しかし、構成レンズ枚数が少ないため、結像性能を満足させることが困難となっている。特に、望遠端の色収差補正が不十分であり、コンパクト化も不十分である。
【０００９】
（発明の目的）
本発明は、従来のズームレンズの上述した問題点に鑑みてなされたものであって、高倍率でありながら高い結像性能を得ることができるコンパクトなズームレンズを提供することを目的とする。
【００１０】
一般的に、高倍率ズームレンズのコンパクト化は、望遠端の結像性能を確保することを困難にする。なぜならば、第１レンズ群の焦点距離の短縮により、望遠端の軸上色収差や倍率色収差の劣化が著しくなるからである。この問題を解決するため、従来は、各レンズ群に適度な焦点距離を持たせ、また異常分散性の高い材料を組み込み、色収差を改善して製品化を行っている。しかし、魅力的なコンパクト化を実現しようとすると、従来のレンズタイプである第１レンズ群３枚構成では限界がある。
【００１１】
第１レンズ群を４枚構成として色収差補正に適した構成とすることは公知である。しかしながら、コンパクト化に適した、複数レンズ群が移動するレンズタイプで、本発明の如く第１ンズ群が４枚構成で、全長が短く、第１レンズ群の外径が小さいズームレンズは提案されていない。本発明は、第１レンズ群を４枚構成として色収差の補正を行いかつコンパクト化を実現したズームレンズを提供することを目的とする。
【課題を解決するための手段】
【００１２】
（第１発明）
物体側から順に、正の屈折力の第１レンズ群、負の屈折力の第２レンズ群、正の屈折力の第３レンズ群で構成され、
広角端から望遠端への変倍時に、前記第１レンズ群と第２レンズ群の間隔が増加し、前記第２レンズ群と第３レンズ群の間隔が減少し、構成するすべてのレンズ群が移動するズームレンズであって、
前記第１レンズ群は、物体側から順に負レンズ１枚と、正レンズ３枚からなり、以下の条件式を満足することを特徴とするズームレンズ。
（１）Nd1>1.84   vd1<35
（２）Nd2<1.60   vd2>60
（３）Nd3<1.65   vd3>60
（４）Nd4-Nd3>0.02    Nd4>Nd3>Nd2
Ndi：物体側から数えてｉ番目の硝材の屈折率
Vdi：物体側から数えてｉ番目の硝材のアッベ数
【００１３】
（第１発明の実施形態）
第１発明において、以下の条件式を満足することを特徴とする。
（５）0.24＜ｆ１／ｆｔ＜0.42
（６）0.03＜｜ｆ２／ｆｔ｜＜0.06
（７）0.05＜ｆ３／ｆｔ＜0.23
（８）3.1＜Z2＜5.8
ｆ１：第１レンズ群の焦点距離
ｆ２：第２レンズ群の焦点距離
ｆ３：第３レンズ群の焦点距離
ｆｔ：望遠端の焦点距離
Z2 : 第２レンズ群の望遠端での近軸結像倍率と広角端の近軸結像倍率の比
【００１４】
（第２発明）
物体側から順に、正の屈折力の第１レンズ群、負の屈折力の第２レンズ群、正の屈折力の第３レンズ群、負の屈折力の第４レンズ群、及び正の屈折力の第５レンズ群で構成され、
広角端から望遠端への変倍時に、前記第１レンズ群と第２レンズ群の間隔が増加し、前記第２レンズ群と第３レンズ群の間隔が減少し、前記第３レンズ群と第４レンズ群の間隔が変化し、前記第４レンズ群と第５レンズ群の間隔が減少するように、前記第１レンズ群、第３レンズ群、第４レンズ群、第５レンズ群を物体側に移動させるズームレンズであって、
前記第１レンズ群は、物体側から順に負レンズ１枚と、正レンズ３枚からなり、以下の条件式を満足することを特徴とするズームレンズ。
（１）Nd1>1.84   vd1<35
（２）Nd2<1.60   vd2>60
（３）Nd3<1.65   vd3>60
（４）Nd4-Nd3>0.02    Nd4>Nd3>Nd2
Ndi：物体側から数えてｉ番目の硝材の屈折率
Vdi：物体側から数えてｉ番目の硝材のアッベ数
【００１５】
（第２発明の実施形態）
第２発明において、以下の条件式を満足することを特徴とする。
（５）0.24＜ｆ１／ｆｔ＜0.42
（６）0.03＜｜ｆ２／ｆｔ｜＜0.06
（９）0.39＜ｆ３４５ｔ/ｆ３＜1.39
ｆ１：第１レンズ群の焦点距離
ｆ２：第２レンズ群の焦点距離
ｆ３：第３レンズ群の焦点距離
ｆｔ：望遠端の焦点距離
ｆ３４５ｔ：望遠端における第３レンズ群から第５レンズ群までの合成焦点距離
【００１６】
（第３発明）
物体側から順に、正の屈折力の第１レンズ群、負の屈折力の第２レンズ群、正の屈折力の第３レンズ群、負の屈折力の第４レンズ群、及び正の屈折力の第５レンズ群で構成され、
広角端から望遠端への変倍時に、前記第１レンズ群と第２レンズ群の間隔が増加し、前記第２レンズ群と第３レンズ群の間隔が減少し、前記第３レンズ群と第４レンズ群の間隔が変化し、前記第４レンズ群と第５レンズ群の間隔が減少するように、前記第１レンズ群、第３レンズ群、第４レンズ群、第５レンズ群を物体側に移動させるズームレンズであって、
前記第１レンズ群は、物体側から順に負レンズ１枚と、正レンズ３枚からなり、手振れ補正時、前記第４レンズ群の一部もしくは全体が移動し、以下の条件式を満足することを特徴とするズームレンズ。
（１）Nd1>1.84   vd1<35
（２）Nd2<1.60   vd2>60
（３）Nd3<1.65   vd3>60
（４）Nd4-Nd3>0.02    Nd4>Nd3>Nd2
Ndi：物体側から数えてｉ番目の硝材の屈折率
Vdi：物体側から数えてｉ番目の硝材のアッベ数
【００１７】
（第３発明の実施形態）
第３発明において、以下の条件式を満足することを特徴とする。
（５）0.24＜ｆ１／ｆｔ＜0.42
（６）0.03＜｜ｆ２／ｆｔ｜＜0.06
（１０）-2.0＜ｆ４／ｆ３４５ｔ＜2.3
ｆ１：第１レンズ群の焦点距離
ｆ２：第２レンズ群の焦点距離
ｆ４：第４レンズ群の焦点距離
ｆｔ：望遠端の焦点距離
ｆ３４５ｔ：望遠端のにおける第３レンズ群から第５レンズ群までの合成焦点距離
【００１８】
（第２発明及び第３発明の実施形態）
第２発明及び第３発明において、以下の条件式を満足することを特徴とする。
（１１）-17.8＜Ｚ5＜9.5
Z5：（望遠端のおける第５レンズ群の倍率）／（広角端のおける第５レンズ群の倍率）
【００１９】
（第１発明〜第３発明の実施形態１）
第１発明〜第３発明において、前記第３レンズ群は物体側から順に、凸レンズ３枚と凹レンズ１枚からなることを特徴とする。
【００２０】
（第１発明〜第３発明の実施形態２）
第１発明〜第３発明において、前記第１レンズ群を除くすべてのレンズ群中に非球面を持つことを特徴とする。
【００２１】
（第１発明〜第３発明の実施形態３）
第１発明〜第３発明において、開口絞りを、第２レンズ群と第３レンズ群との間に配置し、かつ第３レンズ群と一体で移動することを特徴とする。
【発明の効果】
【００２２】
本発明のズームレンズによれば、第１レンズ群を４枚構成として高倍率でありながら高い結像性能を得ることができるコンパクトなズームレンズを構成することができる。
【００２３】
（条件式の説明）
一般的に、第１レンズ群が４枚構成のレンズ系では、第１レンズ群が大きくなり好ましくない。さらに、第１レンズ群が３枚構成に比べてレンズが１枚追加されることでズームレンズ全長が伸びる。また入射瞳位置が深くなることで第１レンズ径が大きくなる。本発明は、以下の条件式で上述した問題点を合理的に解決している。
【００２４】
第１レンズ群の凸レンズの屈折率を物体側から数えて第４番目のレンズから第２番目のレンズにかけて順次下げて行くことは、結像性能を高めつつ前玉径をコンパクトにする上で望ましい。
【００２５】
本発明は、第１レンズ群の最も物体側のレンズの硝材の屈折率を条件式（１）の範囲に設定し、第２番目レンズの硝材の屈折率を条件式（２）の範囲に設定し、第３番目レンズの硝材の屈折率を条件式（３）の範囲に設定し、第４番目レンズと第３番目レンズの屈折率の条件（４）の範囲に設定し、第１レンズ群のコンパクト化を図っている。
【００２６】
すなわち、
（１）Nd1>1.84  vd1<36
ただし、
Ndi：物体側から数えてｉ番目の硝材の屈折率
Vdi：物体側から数えてｉ番目の硝材のアッベ数
条件式（１）の範囲を超えて屈折率の小さな硝材を選択すると、第１レンズ群のコンパクト化が望めない。
【００２７】
また、物体側から数えて２番目の凸レンズの硝材は下記の条件を満足する必要がある。
（２）Nd2<1.60  vd2＞60
条件式（２）の範囲を超えて屈折率の大きな硝材を選択すると、色収差補正が困難となるため望ましくない。
【００２８】
また、物体側から数えて３番目の凸レンズの硝材は下記の条件を満足する必要がある。
（３）Nd3<1.65  vd3＞60
条件式（３）を超えて屈折率の大きな硝材を選択すると、望遠端の球面収差、色収差の最適化を図る上で困難となるため望ましくない。
【００２９】
また、物体側から数えて３番目と４番目の凸レンズの硝材は下記の条件を満足する必要がある。
（４）Nd4-Nd3>0.02  Nd4>Nd3>Nd2
３番目の凸レンズに対して４番目の凸レンズの硝材の屈折率を高くすることは、第１レンズ群を小型化しつつ、望遠端の球面収差色収差の最適化するために好ましい。第１レンズ群を構成する３枚の凸レンズにおいて、像側から物体側へ屈折率を順次下げることは、第１レンズ群の有効径を効率的に縮小化する上で好ましい。
【００３０】
条件式（５）は、第１レンズ群の焦点距離を短くしつつ、レンズ全長、特に望遠端での全長を短くするものである。また、第２レンズ群より像側へ入射する光束径を小さくし、絞り径を小さくすることにより、絞りユニットの大型化を避け鏡筒外径を小さくする条件でもある。
下限値を越えて第１レンズ群の焦点距離が短くなると、この群で発生する望遠側での球面収差が著しく大きくなり、これを第２レンズ群以降のレンズ群で相互に補正することが困難となる。
上限値を越えると、前述のコンパクト化の目的に反する他に、所望とする変倍比を得るためのレンズ移動量を大きく与えねばならず、鏡筒をカム筒等で構成させた場合、筒の繋ぎ部の保持構造が複雑になりその設計が困難になる。
条件式（５）は、好ましくは、0.26＜ｆ１／ｆｔ＜0.38である。この条件により、望遠状態の結像性能をより高めることができる。
【００３１】
条件式（６）は、第２レンズ群の適切なパワー配置の範囲を設定した条件である。例えば、画角７０°以上で、変倍比１０倍以上のズームレンズを、小型化・小径化で達成しようとすると、第１レンズ群および第２レンズ群のパワーバランスが重要になる。特に本発明では、広角端において強いレトロフォーカスのパワー配置にしているため、良好な収差補正を達成するためには、条件式（１）と合わせ、第２レンズ群のパワーバランスを適切に設定するための条件式（６）が必要である。
条件式（６）の上限を上回る場合、第２レンズ群の焦点距離が絶対値が比較的大きい、すなわち第２レンズ群のパワーを比較的緩い値で設定することになる。この場合には、変倍時の移動量が増加するため、全系の大型化や全長変化の増大を招く。また、相対的に第１レンズ群のパワーが強くなるため、特に広角端の主光線の入射高が上昇し、結果的にフィルターサイズの増大を招き、好ましくない。
条件式（６）の下限を下回る場合、第２レンズ群の焦点距離が絶対値が比較的小さい、すなわち第２レンズ群のパワーを比較的強い値で設定することになる。この場合、広角側の歪曲の増大、ペッツバール和の悪化による非点収差の増大、下方コマ収差の変倍による変動、望遠側の球面収差の増大等を招き、好ましくない。
なお、条件式（６）の下限を0.04より大きい設定にすることによって、より確実なフィルターサイズの小径化が可能になる。更に、条件式（６）の上限を0.05より小さい設定にすることによって、本発明の効果を最大限に発揮できる。
【００３２】
条件式（７）は、第３レンズ群の焦点距離を規定するものである。全長の小型化には第３レンズ群の焦点距離の短縮化が避けられないが、コンパクトで高い結像性能の光学系を
得ようとすると、第３レンズ群で発生する残存収差を適切に抑えねばならない。条件式（７）は焦点距離を適正に与えて収差の発生量と全長の良好なバランスを与える条件である。
条件式（７）の下限を越えて焦点距離を短くなると、第３レンズ群による収差発生を補正することが困難となるので好ましくない。
条件式（７）の上限を越えると、バックフォーカスが長くなり、全長のコンパクト化を図ることが困難となり、好ましくない。
条件式（７）に関し、好ましくは、0.06＜ｆ３／ｆｔ＜0.21である。ワイドからテレにかけての結像性能、特に球面収差の差を小さくすることができる。
【００３３】
条件式（８）は、第２レンズ群の望遠端と広角端との近軸結像倍率の比を規定する条件式である。光学系をコンパクト化するためには第１レンズ群の径を小さくする工夫が必要となる。本発明のズームレンズで第１レンズ群の外径を小型化するには、変倍に大きく寄与する絞り前後レンズ群の変倍比を適切に設定することが必須である。絞りよりも物体側のレンズ群の変倍比を小さくし、像側のレンズ群の変倍比を大きくすると、絞り位置を物体側に配置させることができるようになるため、入射瞳位置が浅くなり第１レンズ群の外径を小さくすることができる。
条件式（８）の下限を超えて変倍比を小さくすると、第１レンズ群の物体側レンズの外径を小さくできるものの、第２レンズ群の焦点距離の短縮とともに、広角端での像面湾曲のオーバー化をもたらし、所望の結像性能が得られなくなる。また後続レンズ群の大型化をもたらし、好ましくない。
条件式（８）の下限を超えて２群の変倍比が大きくなると、第１レンズ群の物体側レンズの外径が大きくなり、好ましくない。
条件式（８）に関し、好ましくは、3.4＜Z2＜5.2である。ワイドからテレにかけての結像性能、特に像面湾曲の差を小さくすることができる。
【００３４】
条件式（９）は、第３レンズ群から第５レンズ群の合成焦点距離を規定するものである。全長の小型化には、第３レンズ群から第５レンズ群の合成焦点距離の短縮化が避けられないが、コンパクトで高い結像性能の光学系を得ようとすると、第３レンズ群から第５レンズ群で発生する残存収差を適切に抑えねばならない。条件式（９）は、焦点距離を適正に与えて収差の発生量と全長の良好なバランスを与える条件である。
条件式（９）の下限を越えて焦点距離を短くすると、第３レンズ群から第５レンズ群による収差発生を補正することが困難となり、好ましくない。
条件式（９）の上限を越えると、バックフォーカスが長くなり、全長のコンパクト化を図ることが困難となり、好ましくない。
本発明では、第３レンズ群を、物体側から順に３枚の凸レンズと凹レンズより構成している。この配置が特に広角端における軸外光線の下光線側のコマ収差の補正に好ましい。さらにテレ側の球面収差補正も同時に補正できるようになる。
条件式（９）に関し、好ましくは、0.43＜ｆ３４５ｔ/ｆ３＜1.25である。ワイドからテレにかけての結像性能、特に球面収差の差を小さくすることができる。
【００３５】
条件式（１０）は、第４レンズ群の焦点距離を規定するものである。第４レンズ群は中間焦点距離の球面収差の補正に寄与する群であり、広角端から望遠端にかけて全ズーム域の結像性能を高める上で重要なレンズ群である。また、第４レンズ群を手振れ補正群にした場合、手振れ補正時の結像性能の劣化を防ぐ上で適切な焦点距離とすることが必要である。
条件式（１０）の下限を超えて第４レンズ群の焦点距離が短くなると、中間焦点距離での球面収差がアンダーになり平坦な像面性を確保することができなくなる。さらに、第５レンズ群を通る軸外光線が高くなり、周辺光量が低下し。好ましくない。
条件式（１０）の上限を超えて第４レンズ群の焦点距離が長くなると、中間焦点距離での球面収差がオーバーになり、平坦な像面性を確保することができなくなる上、レンズ全系の全長が長くなり、好ましくない。
条件式（１０）に関し、好ましくは、-2.0＜ｆ４／ｆ３４５ｔ＜2.3である。ワイドからテレにかけての結像性能、特に球面収差の差を小さくすることができる。
【００３６】
第２レンズ群内における非球面は、もっとも物体側に配置することが好ましい。歪曲収差を良好に保つためである。非球面を第２レンズ群内のもっとも像側に配置し、広角端から中間焦点距離における像面湾曲を良好に保つこともできる。
【００３７】
第３レンズ群内に置ける非球面は、像側寄りの面に配置することが好ましい。第３レンズ群は、Fno光線が太く通過するレンズ群のため、全てのレンズ面上の局部的な変形や面のうねりなどによる結像性能への影響が大きい。その中で、より像側に向かってFno光線を下げて光束を細くし像側方向の面に非球面を選択することですることで、高倍率でありながら高い結像性能を得るという本発明の課題を実現することができる。より好ましくは、物体側から第２番目〜第４番目のレンズに非球面を備えることである。
第４レンズ群内おける非球面は、第４レンズ群を手振れ補正レンズ群とした場合、手振れ補正による結像性能を高める上で効果的である。
【図面の簡単な説明】
【００３８】
【図１】本発明のズームレンズの第１実施形態に係るレンズ構成の広角端での光学断面図である。
【図２】本発明のズームレンズの第１実施形態に係るレンズの広角端状態に於ける無限遠合焦時の球面収差図、非点収差図及び歪曲収差図である。
【図３】本発明のズームレンズの第１実施形態に係るレンズの中間焦点距離状態に於ける無限遠合焦時の球面収差図、非点収差図及び歪曲収差図である。
【図４】本発明のズームレンズの第１実施形態に係るレンズの望遠端状態に於ける無限遠合焦時の球面収差図、非点収差図及び歪曲収差図である。
【図５】本発明のズームレンズの第２実施形態に係るレンズ構成の広角端での光学断面図である。
【図６】本発明のズームレンズの第２実施形態に係るレンズの広角端状態に於ける無限遠合焦時の球面収差図、非点収差図及び歪曲収差図である。
【図７】本発明のズームレンズの第２実施形態に係るレンズの中間焦点距離状態に於ける無限遠合焦時の球面収差図、非点収差図及び歪曲収差図である。
【図８】本発明のズームレンズの第２実施形態に係るレンズの望遠端状態に於ける無限遠合焦時の球面収差図、非点収差図及び歪曲収差図である。
【図９】本発明のズームレンズの第３実施形態に係るレンズ構成の広角端での光学断面図である。
【図１０】本発明のズームレンズの第３実施形態に係るレンズの広角端状態に於ける無限遠合焦時の球面収差図、非点収差図及び歪曲収差図である。
【図１１】本発明のズームレンズの第３実施形態に係るレンズの中間焦点距離状態に於ける無限遠合焦時の球面収差図、非点収差図及び歪曲収差図である。
【図１２】本発明のズームレンズの第３実施形態に係るレンズの望遠端状態に於ける無限遠合焦時の球面収差図、非点収差図及び歪曲収差図である。
【図１３】本発明のズームレンズの第４実施形態に係るレンズ構成の広角端での光学断面図である。
【図１４】本発明のズームレンズの第４実施形態に係るレンズの広角端状態に於ける無限遠合焦時の球面収差図、非点収差図及び歪曲収差図である。
【図１５】本発明のズームレンズの第４実施形態に係るレンズの中間焦点距離状態に於ける無限遠合焦時の球面収差図、非点収差図及び歪曲収差図である。
【図１６】本発明のズームレンズの第４実施形態に係るレンズの望遠端状態に於ける無限遠合焦時の球面収差図、非点収差図及び歪曲収差図である。
【図１７】本発明のズームレンズの第５実施形態に係るレンズ構成の広角端での光学断面図である。
【図１８】本発明のズームレンズの第５実施形態に係るレンズの広角端状態に於ける無限遠合焦時の球面収差図、非点収差図及び歪曲収差図である。
【図１９】本発明のズームレンズの第５実施形態に係るレンズの中間焦点距離状態に於ける無限遠合焦時の球面収差図、非点収差図及び歪曲収差図である。
【図２０】本発明のズームレンズの第５実施形態に係るレンズの望遠端状態に於ける無限遠合焦時の球面収差図、非点収差図及び歪曲収差図である。
【図２１】本発明のズームレンズの第６実施形態に係るレンズ構成の広角端での光学断面図である。
【図２２】本発明のズームレンズの第６実施形態に係るレンズの広角端状態に於ける無限遠合焦時の球面収差図、非点収差図及び歪曲収差図である。
【図２３】本発明のズームレンズの第６実施形態に係るレンズの中間焦点距離状態に於ける無限遠合焦時の球面収差図、非点収差図及び歪曲収差図である。
【図２４】本発明のズームレンズの第６実施形態に係るレンズの望遠端状態に於ける無限遠合焦時の球面収差図、非点収差図及び歪曲収差図である。
【図２５】本発明のズームレンズの第７実施形態に係るレンズ構成の広角端での光学断面図である。
【図２６】本発明のズームレンズの第７実施形態に係るレンズの広角端状態に於ける無限遠合焦時の球面収差図、非点収差図及び歪曲収差図である。
【図２７】本発明のズームレンズの第７実施形態に係るレンズの中間焦点距離状態に於ける無限遠合焦時の球面収差図、非点収差図及び歪曲収差図である。
【図２８】本発明のズームレンズの第７実施形態に係るレンズの望遠端状態に於ける無限遠合焦時の球面収差図、非点収差図及び歪曲収差図である。
【図２９】本発明のズームレンズの第８実施形態に係るレンズ構成の広角端での光学断面図である。
【図３０】本発明のズームレンズの第８実施形態に係るレンズの広角端状態に於ける無限遠合焦時の球面収差図、非点収差図及び歪曲収差図である。
【図３１】本発明のズームレンズの第８実施形態に係るレンズの中間焦点距離状態に於ける無限遠合焦時の球面収差図、非点収差図及び歪曲収差図である。
【図３２】本発明のズームレンズの第８実施形態に係るレンズの望遠端状態に於ける無限遠合焦時の球面収差図、非点収差図及び歪曲収差図である。
【図３３】本発明のズームレンズの第９実施形態に係るレンズ構成の広角端での光学断面図である。
【図３４】本発明のズームレンズの第９実施形態に係るレンズの広角端状態に於ける無限遠合焦時の球面収差図、非点収差図及び歪曲収差図である。
【図３５】本発明のズームレンズの第９実施形態に係るレンズの中間焦点距離状態に於ける無限遠合焦時の球面収差図、非点収差図及び歪曲収差図である。
【図３６】本発明のズームレンズの第９実施形態に係るレンズの望遠端状態に於ける無限遠合焦時の球面収差図、非点収差図及び歪曲収差図である。
【図３７】本発明のズームレンズの第１０実施形態に係るレンズ構成の広角端での光学断面図である。
【図３８】本発明のズームレンズの第１０実施形態に係るレンズの広角端状態に於ける無限遠合焦時の球面収差図、非点収差図及び歪曲収差図である。
【図３９】本発明のズームレンズの第１０実施形態に係るレンズの中間焦点距離状態に於ける無限遠合焦時の球面収差図、非点収差図及び歪曲収差図である。
【図４０】本発明のズームレンズの第１０実施形態に係るレンズの望遠端状態に於ける無限遠合焦時の球面収差図、非点収差図及び歪曲収差図である。
【図４１】本発明のズームレンズの第１１実施形態に係るレンズ構成の広角端での光学断面図である。
【図４２】本発明のズームレンズの第１１実施形態に係るレンズの広角端状態に於ける無限遠合焦時の球面収差図、非点収差図及び歪曲収差図である。
【図４３】本発明のズームレンズの第１１実施形態に係るレンズの中間焦点距離状態に於ける無限遠合焦時の球面収差図、非点収差図及び歪曲収差図である。
【図４４】本発明のズームレンズの第１１実施形態に係るレンズの望遠端状態に於ける無限遠合焦時の球面収差図、非点収差図及び歪曲収差図である。
【図４５】本発明のズームレンズの第１２実施形態に係るレンズ構成の広角端での光学断面図である。
【図４６】本発明のズームレンズの第１２実施形態に係るレンズの広角端状態に於ける無限遠合焦時の球面収差図、非点収差図及び歪曲収差図である。
【図４７】本発明のズームレンズの第１２実施形態に係るレンズの中間焦点距離状態に於ける無限遠合焦時の球面収差図、非点収差図及び歪曲収差図である。
【図４８】本発明のズームレンズの第１２実施形態に係るレンズの望遠端状態に於ける無限遠合焦時の球面収差図、非点収差図及び歪曲収差図である。
【発明を実施するための形態】
【００３９】
以下に示す実施形態において、諸元光学データにおける面番号NSは物体側から数えたレンズ面の順番、Rはレンズ面の曲率半径(mm)、Dはレンズ面の光軸上の間隔(mm)、Nｄはｄ線（波長λ=587.6ｎｍ）に対する屈折率、νｄはｄ線（波長λ=587.6ｎｍ）に対するアッベ数をそれぞれ示している。また、面番号の後側にＳＴＯＰを付したものは、絞りを示す。面番号の後側にＡＳＰＨを付したものは、非球面を示し、その曲率半径Rの欄には該非球面の近軸曲率半径(mm)を示している。
【００４０】
（第１実施形態）
NS            R            D           Nd     νｄ
1         960.4611      1.5000     1.84666  23.78
2         122.8428      7.6500     1.49700  81.54
3        -162.2835      0.1500 
4         118.8583      3.0000     1.59282  68.62
5         220.2435      0.1500 
6          59.6862      4.9500     1.77250  49.62
7         137.4312     D( 7)    
8 ASPH  -1000.3614      1.2000     1.80400  46.57
9          16.0324      6.3500   
10         -38.3891      0.8000     1.77250  49.60
11          91.1535      0.1000 
12          37.0427      4.7000     1.84666  23.78
13         -30.6676      0.9000  
14         -26.8463      0.8000     1.83481  42.71
15         209.6621     D(15)       
16 STOP      0.0000      0.9000    
17          31.9254      1.1000     1.83400  37.16
18          23.3159      4.0000     1.61800  63.33
19         -88.4311      0.1500   
20          24.4436      3.0000     1.49700  81.54
21          96.3506      2.0000  
22         -45.1709      1.0000     1.88300  40.76
23         139.2556     D(23)     
24          36.9693      0.9000     1.92286  20.88
25          27.0313      5.5000     1.69350  53.20
26 ASPH    -39.4687      5.5000   
27 ASPH    -38.4311      1.3000     1.77377  47.17
28        3556.2061      5.0000     1.54072  47.20
29         -17.0888      0.1500    
30         -51.0832      0.9000     1.77250  49.60
31          35.4604      4.5000     1.54072  47.20
32         -34.7576      1.8703     
33         -22.2817      1.0000     1.83400  37.34
34         -57.4030     D(34)
【００４１】
上表において、面番号の後側にＡＳＰＨを付した非球面は、次式で表わされる。
X(y)＝（ｙ2／Ｒ）／〔１＋（１−ε・ｙ2／Ｒ2）1/2〕＋Ａ4・ｙ4＋Ａ6・ｙ6＋Ａ8・ｙ8＋Ａ10・ｙ10
ここで、X(y)は光軸から垂直方向の高さｙにおける各非球面の頂点から光軸方向に沿った距離（サグ量）、Ｒは基準球面の曲率半径（近軸曲率半径）、εは円錐係数、Ａ4,Ａ6,Ａ8,Ａ10は非球面係数である。
【００４２】
ASPH     ε          A4             A6             A8            A10
8      1.0000   5.65836e-006   1.88529e-008  -2.02394e-010   4.44473e-013
26      1.0000   1.16562e-005  -6.42885e-008   3.67803e-010  -1.02817e-012
27      1.0000  -3.10650e-005  -1.65048e-007   5.58350e-010  -2.06105e-012
【００４３】
以下に、ズーム作動における面間隔の変化、すなわち広角端状態(f=28.5457mm)、中間焦点距離状態(f=91.5008mm)、及び望遠端状態(f=291.2659mm)の面間隔を示す。
f     28.5457    91.5008   291.2659
D( 7)    1.8099    30.7948    53.6750
D(15)   20.3407    10.3361     0.9800
D(23)    7.4741     3.1732     0.6809
D(34)   42.6549    76.0270    96.6281
【００４４】
（第２実施形態）
NS            R           D           Nd     νｄ
1         145.3523      1.0000     2.00100  29.13
2          72.5602      6.4000     1.49700  81.61
3       -1482.3979      0.1300    
4          65.5229      4.3000     1.59282  68.62
5         274.2715      0.1000   
6          82.7518      2.2000     1.72916  54.67
7         160.1422     D( 7)    
8 ASPH     95.6225      1.0000     1.85135  40.10
9 ASPH     15.6161      6.4748   
10         -24.5312      0.6000     1.77250  49.60
11         119.0121      0.1000    
12          35.1772      4.5513     1.84666  23.78
13         -26.4565      0.7683    
14         -18.7413      0.6000     1.77250  49.60
15         250.2692     D(15)     
16 STOP      0.0000      0.9000   
17          43.4517      2.2089     1.72916  54.67
18        -225.0104      0.0800   
19          32.0766      3.6494     1.49700  81.54
20         -54.3689      0.1537   
21 ASPH     79.3489      3.0732     1.62263  58.16
22         -30.7840      0.6000     1.92286  20.88
23        -112.6039      2.9153    
24 ASPH    -75.6516      0.8000     1.82080  42.71
25          19.6490      2.4000     1.80809  22.76
26          49.7933      2.0168   
27           0.0000     D(27)     
28          38.0979      2.7000     1.49700  81.54
29        -171.7517      0.0768   
30          47.4759      0.6000     1.80610  33.27
31          15.0869      9.8000     1.51742  52.43
32         -21.7721      2.4722   
33 ASPH    -25.8689      0.2000     1.51460  49.96
34         -23.3613      0.6000     1.79952  42.22
35          78.9296      0.2401   
36          41.1076      2.5000     1.80518  25.46
37         322.8835     D(37)
【００４５】
ASPH     ε          A4             A6             A8            A10
8      1.0000   2.39101e-006   1.04769e-007  -7.25913e-010   2.43685e-012
9      1.0000  -6.14303e-006   1.79984e-007  -1.80633e-009   5.89779e-012
21      1.0000  -1.29134e-005  -1.17477e-008  -1.15449e-010   1.74310e-013
24      1.0000   2.82788e-006   2.96746e-008  -2.88665e-010   1.72040e-012
33      1.0000  -1.91547e-005   7.63088e-009  -3.00311e-010   2.53291e-012
【００４６】
以下に、ズーム作動における面間隔の変化、すなわち広角端状態(f=28.8400mm)、中間焦点距離状態(f=91.5017mm)、及び望遠端状態(f=291.2648mm)の面間隔を示す。
f     28.8400    91.5017   291.2648
D( 7)    1.4914    29.9944    53.3812
D(15)   17.3679     9.1947     1.3409
D(27)    9.5335     3.0114     0.6797
D(37)   39.9998    75.8619    89.9911
【００４７】
（第３実施形態）
NS            R            D           Nd    νｄ
1         131.3181      1.0000     2.00100  29.13
2          68.9496      6.4000     1.49700  81.61
3       -3423.6503      0.1300  
4          68.0927      4.3000     1.59282  68.62
5         292.1111      0.1000   
6          87.2890      2.2000     1.72916  54.67
7         176.2021     D( 7)    
8 ASPH     41.5217      1.0000     1.85135  40.10
9 ASPH     13.1853      7.9239   
10         -21.5046      0.6000     1.77250  49.60
11         109.0863      0.1000   
12          34.3526      3.7207     1.84666  23.78
13         -25.3733      0.7683   
14         -17.7413      0.6000     1.77250  49.60
15        -722.0544     D(15)      
16 STOP      0.0000      0.9000   
17          22.0801      2.2089     1.72916  54.67
18          54.9240      0.0800   
19          30.2392      3.6494     1.49700  81.54
20         -57.5222      0.1537   
21 ASPH     67.3020      3.0732     1.62263  58.16
22         -33.5054      0.6000     1.92286  20.88
23        -178.2400      2.6853    
24 ASPH    -74.7109      0.8000     1.82080  42.71
25          21.0764      2.4000     1.80809  22.76
26          49.9879      7.9995   
27          33.4768      2.7000     1.49700  81.54
28        -366.4066      0.0768   
29          38.6289      0.6000     1.80610  33.27
30          14.0312      9.8000     1.51742  52.43
31         -23.6958      2.2625  
32 ASPH    -17.9304      0.8000     1.79952  42.22
33        -212.9791      0.2401    
34          49.8195      2.5000     1.80518  25.46
35        3046.0003     D(35)      
【００４８】
ASPH     ε          A4             A6             A8            A10
8      1.0000   5.33025e-006  -3.29507e-008  -1.35484e-010   1.53549e-012
9      1.0000  -5.37770e-006  -1.05304e-007   6.14798e-010  -1.77189e-011
21      1.0000  -2.95687e-005   3.36726e-008  -1.96932e-010   2.52228e-012
24      1.0000   5.04630e-006  -1.13437e-007   2.47478e-010  -4.23169e-012
32      1.0000  -2.63212e-006   3.15118e-008   1.26157e-011   7.82205e-013
【００４９】
以下に、ズーム作動における面間隔の変化、すなわち広角端状態(f=28.8400mm)、中間焦点距離状態(f=91.4998mm)、及び望遠端状態(f=291.2621mm)の面間隔を示す。
f     28.8400    91.4998   291.2621
D( 7)    1.0567    30.9510    53.0979
D(15)   16.8921     8.8481     0.8134
D(35)   40.0000    73.7383    94.0183
【００５０】
（第４実施形態）
NS            R            D           Nd    νｄ
1         143.5687      1.0000     2.00100  29.13
2          72.0357      6.4000     1.49700  81.61
3       -1490.2041      0.1300   
4          67.2215      4.3000     1.59282  68.62
5         304.0782      0.1000   
6          84.7948      2.2000     1.72916  54.67
7         166.1575     D( 7)    
8 ASPH    103.5236      1.0000     1.85135  40.10
9 ASPH     15.7010      6.4503  
10         -24.8317      0.6000     1.77250  49.60
11         123.7378      0.1000   
12          35.5272      4.5322     1.84666  23.78
13         -26.5910      0.7683  
14         -19.3184      0.6000     1.77250  49.60
15         181.9645     D(15)    
16 STOP      0.0000     0.9000   
17          42.9232      2.2089     1.72916  54.67
18        -237.6040      0.0800  
19          31.7347      3.6494     1.49700  81.54
20         -55.8095      0.1537   
21 ASPH     74.7579      3.0732     1.62263  58.16
22         -31.4720      0.6000     1.92286  20.88
23        -120.6548     D(23)    
24 ASPH    -80.5689      0.8000     1.82080  42.71
25          18.8795      2.4000     1.80809  22.76
26          47.8489      2.0168   
27           0.0000     D(27)     
28          37.8315      2.7000     1.49700  81.54
29        -179.0469      0.0768   
30          46.1865      0.6000     1.80610  33.27
31          14.9388      9.8000     1.51742  52.43
32         -22.0303      2.4984    
33 ASPH    -25.4498      0.2000     1.51460  49.96
34         -23.0153      0.6000     1.79952  42.22
35          90.2579      0.2401  
36          42.6663      2.5000     1.80518  25.46
37         305.3527     D(37)     
【００５１】
ASPH     ε          A4             A6             A8            A10
8      1.0000   1.13594e-005  -4.92986e-008   2.83969e-010  -9.65073e-015
9      1.0000   4.80591e-006  -3.59261e-008  -1.90776e-010   3.42290e-012
21      1.0000  -1.62928e-005  -5.96283e-009  -1.00477e-010   4.05461e-013
24      1.0000   7.90277e-006  -1.41523e-008   5.76646e-011  -2.95018e-015
33      1.0000  -2.00247e-005   2.77414e-008  -5.33053e-010   4.20723e-012
【００５２】
以下に、ズーム作動における面間隔の変化、すなわち広角端状態(f=28.8400mm)、中間焦点距離状態(f=91.4978mm)、及び望遠端状態(f=291.9106mm)の面間隔を示す。
f     28.8400    91.4978   291.9106
D( 7)    1.5848    29.3804    53.3355
D(15)   17.4488     8.8591     1.3179
D(23)    2.1872     3.9166     3.6301
D(27)    9.5117     3.2729     0.6567
D(37)   41.2269    74.4210    89.8828
【００５３】
（第５実施形態）
NS            R            D           Nd    νｄ
1       24892.3624      1.5000     1.84666  23.78
2         136.4604      7.0000     1.49700  81.54
3        -225.5491      0.1500    
4         119.0034      4.0000     1.59282  68.62
5         635.5159      0.1500   
6          58.2761      4.9500     1.77250  49.62
7         126.1913     D( 7)   
8 ASPH   1087.1386      1.2000     1.80400  46.57
9          15.9797      5.5000    
10         -46.3062      0.8000     1.77250  49.60
11          52.7040      0.1000    
12          29.7137      4.7000     1.84666  23.78
13         -32.4284      0.6000   
14         -26.1926      0.8000     1.83481  42.71
15         131.9362     D(15)     
16 STOP      0.0000      0.9000    
17          31.2465      1.1000     1.83400  37.16
18          22.2119      4.0000     1.61800  63.33
19         -83.2651      0.1500    
20          28.5300      3.0000     1.49700  81.54
21         167.3210      1.7022   
22         -42.8551      1.0000     1.88300  40.76
23         227.8763     D(23)    
24          33.8591      0.9000     1.92286  20.88
25          24.8923      5.5000     1.69350  53.20
26 ASPH    -57.0571     D(26)     
27 ASPH    -94.7251      1.3000     1.77377  47.17
28          90.2135      5.0000     1.54072  47.20
29         -20.4770      0.1500   
30         -85.3840      0.9000     1.77250  49.60
31          26.2526      4.5000     1.54072  47.20
32         -60.6651      2.9965    
33         -26.8176      1.0000     1.83400  37.34
34         -77.2899     D(34)     
【００５４】
ASPH     ε          A4             A6             A8            A10
8      1.0000   6.82647e-006   1.52661e-008  -1.75539e-010   4.74576e-013
26      1.0000   1.14184e-005  -3.77760e-008   2.31716e-010  -6.74346e-013
27      1.0000  -2.19057e-005  -7.53269e-008   3.32844e-010  -1.06782e-012
【００５５】
以下に、ズーム作動における面間隔の変化、すなわち広角端状態(f=28.7690mm)、中間焦点距離状態(f=91.4978mm)、及び望遠端状態(f=291.9106mm)の面間隔を示す。
f     28.7960    91.5003   291.2646
D( 7)    1.8099    34.1120    54.2662
D(15)   18.7574    10.2822     0.9800
D(23)   11.1754     5.4379     1.0000
D(26)    5.6467     4.7725     1.5783
D(34)   40.3618    66.1272    89.8230
【００５６】
（第６実施形態）
NS            R            D           Nd    νｄ
1         250.5825      1.5000     1.90366  31.31
2          76.1561      8.0000     1.49700  81.54
3       -2073.4913      0.1500   
4          73.4991      5.0000     1.59282  68.62
5         230.7890      0.1500  
6          73.6049      4.0000     1.77250  49.62
7         156.6129     D( 7)    
8 ASPH    330.3473      1.2000     1.80400  46.57
9          15.6587      5.5000   
10         -41.6913      0.8000     1.77250  49.60
11          55.2468      0.1000   
12          30.1516      4.7000     1.84666  23.78
13         -33.8065      0.6000   
14         -24.3751      0.8000     1.83481  42.71
15         541.2368     D(15)     
16 STOP      0.0000      0.9000   
17          31.0982      1.1000     1.83400  37.16
18          21.1378      4.5000     1.61800  63.33
19         -93.1907      0.1500   
20          35.5574      3.0000     1.49700  81.54
21        -411.2092      1.6093    
22         -37.8885      1.0000     1.88300  40.76
23        -668.8224     D(23)     
24          30.9667      0.9000     1.92286  20.88
25          22.6305      5.5000     1.69350  53.20
26 ASPH   -868.5908     D(26)     
27 ASPH    144.5043      1.3000     1.77377  47.17
28          54.3709      6.0000     1.54072  47.20
29         -21.7745      2.0000    
30        -170.2319      0.9000     1.77250  49.60
31          19.8102      4.5000     1.54072  47.20
32        -706.2842      1.7062   
33         -31.5770      1.0000     1.83400  37.34
34         -79.3425     D(34)      
【００５７】
ASPH     ε          A4             A6             A8            A10
8      1.0000   1.09800e-005  -1.86902e-008   1.80614e-011   1.87354e-013
26      1.0000  -9.75436e-006   5.92273e-008  -2.71990e-010   7.17429e-013
27      1.0000  -4.25661e-005   3.85800e-008  -3.65002e-010   1.33244e-012
【００５８】
以下に、ズーム作動における面間隔の変化、すなわち広角端状態(f=28.8400mm)、中間焦点距離状態(f=91.4986mm)、及び望遠端状態(f=291.2633mm)の面間隔を示す。
f     28.8400    91.4986   291.2633
D( 7)    1.7000    38.0000    62.6908
D(15)   17.6703     9.4203     0.9800
D(23)    9.5131     3.3814     1.0000
D(26)    3.9394     3.1524     0.5000
D(34)   40.8665    69.0556    93.9552
【００５９】
（第７実施形態）
NS            R            D           Nd    νｄ
1         165.0566      1.0000     2.00100  29.13
2          78.5233      6.6500     1.49700  81.61
3        -728.4868      0.1400    
4          70.3968      4.5500     1.59282  68.62
5         318.6441      0.0900  
6          87.5928      2.4000     1.72916  54.67
7         168.6516     D( 7)   
8 ASPH    119.1999      1.3000     1.85135  40.10
9 ASPH     16.0730      6.0532   
10         -26.4607      0.7000     1.77250  49.60
11         138.9702      0.1100  
12          36.6745      4.2816     1.84666  23.78
13         -27.6602      0.8000    
14         -19.8927      0.7000     1.77250  49.60
15         224.8288     D(15)    
16 STOP      0.0000      1.0000   
17          45.4709      2.3000     1.72916  54.67
18        -223.1183      0.0800  
19          32.9276      3.8000     1.49700  81.54
20         -59.4375      0.1600   
21 ASPH     70.6213      3.2000     1.62263  58.16
22         -34.0838      0.7000     1.92286  20.88
23        -136.9124     D(23)     
24 ASPH    -80.5152      0.8000     1.82080  42.71
25          20.0389      2.6000     1.80809  22.76
26          48.4896      2.1000   
27           0.0000     D(27)     
28          37.4118      2.9000     1.49700  81.54
29        -235.3122      0.0800   
30          46.5360      0.8000     1.80610  33.27
31          15.5102     10.2000     1.51742  52.43
32         -22.7166      2.6452  
33 ASPH    -26.2116      0.2000     1.51460  49.96
34         -23.8312      0.8000     1.79952  42.22
35          91.5604      0.2500   
36          44.0886      2.6000     1.80518  25.46
37         307.7694     D(37)    
【００６０】
ASPH     ε          A4             A6             A8            A10
8      1.0000   6.94825e-006  -1.17836e-008   1.30232e-010   1.46115e-013
9      1.0000   1.58296e-007  -1.04078e-008  -2.04183e-010   3.55388e-012
21      1.0000  -1.41559e-005  -1.15301e-008  -1.73211e-011   5.79302e-014
24      1.0000   7.26742e-006  -5.26032e-009  -3.07691e-011   3.26856e-013
33      1.0000  -2.00950e-005   1.66528e-008  -3.86767e-010   2.95046e-012
【００６１】
以下に、ズーム作動における面間隔の変化、すなわち広角端状態(f=28.7760mm)、中間焦点距離状態(f=91.5000mm)、及び望遠端状態(f=291.2621mm)の面間隔を示す。
f     28.7760    91.5000   291.2621
D( 7)    1.7749    29.8104    55.2778
D(15)   18.7563     9.2121     1.3652
D(23)    1.9370     3.9682     3.7576
D(27)    9.9943     3.2110     0.4000
D(37)   40.1487    73.8282    89.5105
【００６２】
（第８実施形態）
NS            R            D           Nd    νｄ
1         350.7950      1.2500     1.90366  31.31
2          91.1600      5.4500     1.49700  81.61
3       -1292.3005      0.1400   
4          98.6857      4.9000     1.59282  68.62
5       -1366.0316      0.1400   
6          64.1642      4.0000     1.61800  63.39
7         167.9067     D( 7)     
8 ASPH    106.0294      0.2000     1.51460  49.96
9          79.2785      1.0000     1.88300  40.76
10          16.5495      6.5066  
11         -27.3983      0.7500     1.74320  49.34
12          99.6277      0.1400   
13          35.9136      4.4000     1.84666  23.78
14         -30.9511      0.8787  
15         -21.2902      0.7500     1.77250  49.60
16         222.2788     D(16)     
17 STOP      0.0000      0.9500  
18          40.4419      2.3000     1.72916  54.67
19        -758.8257      0.1400   
20          34.7039      3.6500     1.49700  81.54
21         -54.2781      0.1900   
22 ASPH     86.0745      3.0000     1.62263  58.16
23         -31.5596      0.7500     1.92286  20.88
24        -105.2188     D(24)   
25 ASPH    -66.9961      0.8000     1.82080  42.71
26          20.0792      2.6000     1.80809  22.76
27          55.7965      0.9000   
28           0.0000     D(28)    
29          34.3786      3.0000     1.49700  81.54
30        -816.3655      0.1400  
31          41.7822      1.0000     1.80610  33.27
32          15.0645     11.2000     1.51742  52.43
33         -23.3907      2.8212   
34 ASPH    -24.6375      0.2000     1.51460  49.96
35         -23.3129      1.2000     1.79952  42.22
36         130.7528      0.2500   
37          87.1187      2.3000     1.80518  25.46
38        -177.3414     D(38)     
【００６３】
ASPH     ε          A4             A6             A8            A10
8      1.0000   7.86271e-006   6.67702e-010  -5.19967e-013   4.24464e-013
22      1.0000  -1.53265e-005   1.64545e-008  -3.30538e-010   1.14475e-012
25      1.0000   8.00984e-006  -3.83008e-008   4.39701e-010  -1.79811e-012
34      1.0000  -1.73609e-005   2.45075e-008  -1.93805e-010   2.37719e-012
【００６４】
以下に、ズーム作動における面間隔の変化、すなわち広角端状態(f=28.8400mm)、中間焦点距離状態(f=91.5019mm)、及び望遠端状態(f=291.2621mm)の面間隔を示す。
f     28.8400    91.5019   291.2621
D( 7)    1.5646    28.7572    54.8326
D(16)   19.1273     9.4444     1.3000
D(24)    1.8201     3.2665     2.5548
D(28)    9.6480     3.0416     0.4000
D(38)   39.0434    74.3198    88.5154
【００６５】
（第９実施形態）
NS            R            D           Nd    νｄ
1         270.8969      1.0000     2.00100  29.13
2          96.2312      6.6500     1.49700  81.61
3        -243.9772      0.1400   
4          77.5901      4.5500     1.59282  68.62
5         499.8787      0.0900   
6          90.0759      2.4000     1.72916  54.67
7         171.2214     D( 7)     
8           0.0000      0.0000   
9 ASPH     82.7181      1.3000     1.85135  40.10
10 ASPH     15.6341      7.7867  
11         -29.1084      0.7000     1.77250  49.60
12         112.2632      0.1100    
13          34.2953      3.0379     1.84666  23.78
14         -30.4373      0.8000   
15         -23.3681      0.7000     1.77250  49.60
16          69.0201     D(16)     
17 STOP      0.0000      1.0000   
18          45.4043      2.3000     1.72916  54.67
19        -215.4886      0.0800   
20          23.9066      3.8000     1.49700  81.54
21        -179.3303      0.1600   
22 ASPH     56.8907      3.2000     1.62263  58.16
23         -39.2666      0.7000     1.92286  20.88
24        -290.5830     D(24)      
25 ASPH  -5977.0785      0.8000     1.82080  42.71
26          16.5309      2.6000     1.80809  22.76
27          30.0732      2.1000   
28           0.0000     D(28)     
29          30.7666      2.9000     1.49700  81.54
30         777.2720      0.0800   
31          30.4184      0.8000     1.80610  33.27
32          13.2317     10.0000     1.51742  52.43
33         -29.7471      0.5000   
34 ASPH    -75.8503      1.0000     1.79952  42.22
35          32.7575      0.1500   
36          24.7420      2.6000     1.80518  25.46
37          36.6041     D(37)     
【００６６】
ASPH     ε          A4             A6             A8            A10
9      1.0000   1.86044e-006   7.15386e-008  -5.09642e-010   8.68704e-013
10      1.0000  -2.15802e-006   3.36914e-008   8.73461e-010  -1.07631e-011
22      1.0000  -1.89667e-005  -2.71796e-008   4.51457e-010  -1.81334e-012
25      1.0000   1.03049e-005   3.68871e-008  -1.02850e-009   5.41551e-012
34      1.0000  -1.79237e-005  -5.03864e-008   5.12379e-010  -1.49032e-013
【００６７】
以下に、ズーム作動における面間隔の変化、すなわち広角端状態(f=28.7442mm)、中間焦点距離状態(f=91.4991mm)、及び望遠端状態(f=291.5990mm)の面間隔を示す。
F     28.7442    91.4991   291.5990
D( 7)    5.4575    29.6109    54.8055
D(16)   18.0576     8.8108     1.3295
D(24)    0.1636     1.9296     5.0546
D(28)    9.5223     2.8824     0.1500
D(37)   40.0643    76.7149    88.7267
【００６８】
（第１０実施形態）
NS            R            D           Nd    νｄ
1         389.6081      1.0000     2.00100  29.13
2         107.5046      6.6500     1.49700  81.61
3        -191.7708      0.1400   
4          71.0525      4.5500     1.59282  68.62
5         311.1545      0.0900   
6          80.8544      2.4000     1.72916  54.67
7         142.6525     D( 7)    
8 ASPH     75.2074      1.3000     1.85135  40.10
9 ASPH     15.9577      5.0901  
10         -28.1174      0.7000     1.77250  49.60
11          71.7076      0.1100   
12          28.2309      2.9994     1.84666  23.78
13         -34.8609      0.8000   
14         -22.4732      0.7000     1.77250  49.60
15          90.4085     D(15)      
16 STOP      0.0000      1.0000   
17          35.4958      2.3000     1.72916  54.67
18         403.0304      0.0800   
19          36.0409      3.8000     1.49700  81.54
20         -45.6226      0.1600   
21 ASPH    170.1866      3.2000     1.62263  58.16
22         -27.3606      0.7000     1.92286  20.88
23         -75.7970     D(23)      
24 ASPH    -59.0959      0.8000     1.82080  42.71
25          18.3701      2.6000     1.80809  22.76
26          61.0958      2.1000   
27           0.0000     D(27)     
28          37.5549      2.9000     1.49700  81.54
29        -163.8036      0.0800   
30          55.5571      0.8000     1.80610  33.27
31          15.9889     10.2000     1.51742  52.43
32         -24.7336      7.0000   
33 ASPH    -22.6676      1.0000     1.79952  42.22
34        -125.5010      0.1510   
35         122.1646      2.6000     1.80518  25.46
36        -249.4354     D(36)  
【００６９】
ASPH     ε          A4             A6             A8            A10
8      1.0000  -1.56074e-005   2.44224e-007  -1.32613e-009   2.77169e-012
9      1.0000  -1.33080e-005   1.76003e-007   7.37210e-010  -7.83634e-012
21      1.0000  -1.68922e-005  -3.07015e-008   2.86591e-010  -1.81352e-012
24      1.0000   2.89798e-006   1.44540e-008  -4.89049e-010   3.94286e-012
33      1.0000  -1.94564e-006   2.25402e-009   1.09705e-010   9.97663e-013
【００７０】
以下に、ズーム作動における面間隔の変化、すなわち広角端状態(f=28.7959mm)、中間焦点距離状態(f=91.5116mm)、及び望遠端状態(f=291.2621mm)の面間隔を示す。
F     28.7959    91.5116   291.2621
D( 7)    2.1321    27.3283    55.4292
D(15)   18.9992     9.4912     1.6641
D(23)    1.0524     4.2277     4.0844
D(27)    7.1106     2.0361     0.1500
D(36)   40.0020    75.5249    84.8693
【００７１】
（第１１実施形態）
NS            R            D           Nd    νｄ
1          91.0315      1.0000     1.90366  31.31
2          55.8428      8.0000     1.49700  81.61
3         418.7799      0.1457   
4          98.9827      4.8923     1.59282  68.62
5       -3131.7250      0.0937   
6         128.8186      2.4982     1.72916  54.67
7         256.7101     D( 7)    
8 ASPH     85.7623      0.2082     1.51460  49.96
9          72.2663      0.9368     1.88300  40.76
10          16.8685      6.2455   
11         -29.1766      0.7286     1.74320  49.34
12          85.9181      0.1145     
13          32.3496      4.4760     1.84666  23.78
14         -33.7625      0.8327   
15         -21.2984      0.7286     1.77250  49.60
16         159.4863     D(16)     
17 STOP      0.0000      1.0409    
18          32.8944      2.3941     1.72916  54.67
19         185.6765      0.0833   
20          32.4619      3.9555     1.49700  81.54
21         -60.8888      0.1665    
22 ASPH     81.6160      3.3309     1.62263  58.16
23         -35.0213      0.7286     1.92286  20.88
24        -169.2048     D(24)     
25 ASPH  -1103.8280      0.8327     1.82080  42.71
26          18.7430      2.8105     1.80809  22.76
27          33.3086      0.9368    
28           0.0000     D(28)      
29          36.9955      3.0187     1.49700  81.54
30        -273.4242      0.0833    
31          42.6250      0.8327     1.80610  33.27
32          15.1547     10.8256     1.51742  52.43
33         -24.1492      2.5870    
34 ASPH    -28.0766      1.0000     1.79952  42.22
35          51.8704      0.0000   
36          51.8704      3.4000     1.80518  25.46
37        -120.9305     D(37)   
【００７２】
ASPH     ε          A4             A6             A8            A10
8      1.0000   5.31066e-006   9.34502e-008  -6.38290e-010   2.36088e-012
22      1.0000  -2.37846e-005   1.54878e-008  -4.27386e-010   2.18963e-012
25      1.0000   8.38965e-006  -2.69873e-008   3.46232e-010  -2.12472e-012
34      1.0000  -7.88044e-006   2.45651e-008  -2.76075e-010   2.22758e-012
【００７３】
以下に、ズーム作動における面間隔の変化、すなわち広角端状態(f=28.5215mm)、中間焦点距離状態(f=91.4992mm)、及び望遠端状態(f=291.2621mm)の面間隔を示す。
f     28.5215    91.4992   291.2621
D( 7)    0.5999    34.2348    56.7829
D(16)   19.2430     9.4166     1.1174
D(24)    1.0976     4.4620     2.3121
D(28)    9.9078     3.6736     0.1500
D(37)   40.2236    64.2124    91.7096
【００７４】
（第１２実施形態）
NS            R            D           Nd    νｄ
1          92.1120      1.0343     1.90366  31.31
2          56.9010      8.2745     1.49700  81.61
3         394.8115      0.1507   
4         103.7658      5.0602     1.59282  68.62
5       -2006.2866      0.0969   
6         137.6993      2.5839     1.72916  54.67
7         278.8824     D( 7)    
8 ASPH     86.8466      0.2153     1.51460  49.96
9          72.9198      0.9690     1.88300  40.76
10          17.3609      6.4598   
11         -30.4797      0.7536     1.74320  49.34
12          87.8047      0.1184    
13          33.3619      4.6295     1.84666  23.78
14         -35.0326      0.8613   
15         -22.4066      0.7536     1.77250  49.60
16         143.2274     D(16)     
17 STOP      0.0000      1.0766    
18          40.1078      2.4763     1.72916  54.67
19        1433.0996      0.0861   
20          29.3016      4.0912     1.49700  81.54
21         -87.2359      0.1723    
22 ASPH     83.4538      3.4452     1.62263  58.16
23         -36.4372      0.7536     1.92286  20.88
24        -175.8957     D(24)      
25 ASPH  -1654.6084      0.8613     1.82080  42.71
26          19.3716      2.9069     1.80809  22.76
27          34.0113      0.9690   
28           0.0000     D(28)     
29          37.5982      3.1222     1.49700  81.54
30        -327.8206      0.0861   
31          42.2042      0.8613     1.80610  33.27
32          15.4512     11.1970     1.51742  52.43
33         -25.6744      2.6471    
34 ASPH    -31.5721      1.0343     1.79952  42.22
35          47.0007      3.5166     1.80518  25.46
36        -186.4667     D(36)    
【００７５】
ASPH    ε          A4             A6              A8            A10
8    1.0000    3.85605e-006   8.38221e-008   -5.31014e-010   1.74243e-012
22    1.0000   -1.91071e-005   1.50950e-008   -3.08494e-010   1.42496e-012
25    1.0000    7.99438e-006  -1.76227e-008    2.47734e-010  -1.34221e-012
34    1.0000   -9.54504e-006   1.81686e-008   -2.54817e-010   1.81471e-012
【００７６】
以下に、ズーム作動における面間隔の変化、すなわち広角端状態(f=28.8400mm)、中間焦点距離状態(f=91.5003mm)、及び望遠端状態(f=291.2621mm)の面間隔を示す。
f     28.8400    91.5003   291.2621
D( 7)    0.5119    34.3502    58.9247
D(16)   19.9354     9.7842     1.1474
D(24)    1.0011     4.0400     2.6181
D(28)    9.4599     3.2931     0.1500
D(36)   40.0089    65.6117    89.0771
【００７７】
各実施形態の条件式の値は、以下に示す。
条件式     （１）       （２）       （３）       （４）
実施形態    Nd1          Nd2          Nd3          Nd4-Nd3
１          1.847        1.497        1.593        0.180
２          2.001        1.497        1.593        0.136
３          2.001        1.497        1.593        0.136
４          2.001        1.497        1.593        0.136
５          1.847        1.497        1.593        0.180
６          1.904        1.497        1.593        0.180
７          2.001        1.497        1.593        0.136
８          1.904        1.497        1.593        0.025
９          2.001        1.497        1.593        0.136
１０        2.001        1.497        1.593        0.136
１１        1.904        1.497        1.593        0.136
１２        1.904        1.497        1.593        0.136
【００７８】
条件式     （１）       （２）       （３）
実施形態    vd1          vd2          vd3
１          23.78        81.54        68.62
２          29.13        81.54        68.62
３          29.13        81.54        68.62
４          29.13        81.54        68.62
５          23.78        81.54        68.62
６          31.31        81.54        68.62
７          29.13        81.54        68.62
８          31.31        81.54        68.62
９          29.13        81.54        68.62
１０        29.13        81.54        68.62
１１        31.31        81.54        68.62
１２        31.31        81.54        68.62
【００７９】
条件式     （５）       （６）        （７）       （８）
実施形態    ｆ1/ｆｔ     ｆ2/ｆｔ     ｆ3/ｆｔ      Z2
１          0.311        -0.049        0.188        4.286
２          0.300        -0.042        0.106        4.701
３          0.303        -0.042        0.088        4.601
４          0.300        -0.042        0.070        4.577
５          0.306        -0.049        0.185        4.814
６          0.352        -0.049        0.177        4.359
７          0.314        -0.045        0.072        4.433
８          0.312        -0.045        0.073        4.513
９          0.315        -0.043        0.071        3.934
１０        0.312        -0.045        0.075        4.468
１１        0.333        -0.047        0.077        4.357
１２        0.345        -0.048        0.079        4.380
【００８０】
条件式     （９）       （１０）      （１１）
実施形態    f345t/f3      f4/f345t      Z5
１            -            -            -
２            -            -            -
３            -            -            -
４          1.155        -1.511        -4.211
５          0.501         1.258         1.415
６          0.492         1.924         1.142
７          1.149        -1.485        -4.297
８          1.156        -1.459        -5.731
９          1.049        -1.650        -9.310
１０        1.112        -1.465         7.944
１１        1.118        -1.547       -14.852
１２        1.104        -1.571       -11.282
【符号の説明】
【００８１】
ＳＴＯＰ          絞り
Ｇ１              第１レンズ群
Ｇ２              第２レンズ群
Ｇ３              第３レンズ群
Ｇ４              第４レンズ群
Ｇ５              第５レンズ群
【図１】
0005885166.tif 000002
【図２】
0005885166.tif 000003
【図３】
0005885166.tif 000004
【図４】
0005885166.tif 000005
【図５】
0005885166.tif 000006
【図６】
0005885166.tif 000007
【図７】
0005885166.tif 000008
【図８】
0005885166.tif 000009
【図９】
0005885166.tif 000010
【図１０】
0005885166.tif 000011
【図１１】
0005885166.tif 000012
【図１２】
0005885166.tif 000013
【図１３】
0005885166.tif 000014
【図１４】
0005885166.tif 000015
【図１５】
0005885166.tif 000016
【図１６】
0005885166.tif 000017
【図１７】
0005885166.tif 000018
【図１８】
0005885166.tif 000019
【図１９】
0005885166.tif 000020
【図２０】
0005885166.tif 000021
【図２１】
0005885166.tif 000022
【図２２】
0005885166.tif 000023
【図２３】
0005885166.tif 000024
【図２４】
0005885166.tif 000025
【図２５】
0005885166.tif 000026
【図２６】
0005885166.tif 000027
【図２７】
0005885166.tif 000028
【図２８】
0005885166.tif 000029
【図２９】
0005885166.tif 000030
【図３０】
0005885166.tif 000031
【図３１】
0005885166.tif 000032
【図３２】
0005885166.tif 000033
【図３３】
0005885166.tif 000034
【図３４】
0005885166.tif 000035
【図３５】
0005885166.tif 000036
【図３６】
0005885166.tif 000037
【図３７】
0005885166.tif 000038
【図３８】
0005885166.tif 000039
【図３９】
0005885166.tif 000040
【図４０】
0005885166.tif 000041
【図４１】
0005885166.tif 000042
【図４２】
0005885166.tif 000043
【図４３】
0005885166.tif 000044
【図４４】
0005885166.tif 000045
【図４５】
0005885166.tif 000046
【図４６】
0005885166.tif 000047
【図４７】
0005885166.tif 000048
【図４８】
0005885166.tif 000049